【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
一又は複数の秤量部と、
一又は複数の前記秤量部による第１の秤量結果に基づいて、秤量対象薬品の錠数を、規定錠数の前記秤量対象薬品が収容される薬剤シートの単位で判定するシート判定処理部と、
一又は複数の前記秤量部による第２の秤量結果に基づいて、秤量対象薬品の錠数を１錠単位で判定する端数判定処理部と、
前記シート判定処理部及び前記端数判定処理部により判定された秤量対象薬品の錠数と、処方データに基づく前記秤量対象薬品の目標錠数とを照合可能な照合処理部と、
を備える鑑査支援装置。
【請求項２】
前記第１の秤量結果及び前記第２の秤量結果は、同一の一又は複数の前記秤量部により異なるタイミングで取得される秤量結果である、
請求項１に記載の鑑査支援装置。
【請求項３】
前記シート判定処理部による判定が完了した後に、前記端数判定処理部による判定が行われる、
請求項２に記載の鑑査支援装置。
【請求項４】
前記シート判定処理部による判定が完了した後に、前記一又は複数の前記秤量部による現在の秤量値を０にする処理が実行されてから前記端数判定処理部による判定が行われる、
請求項３に記載の鑑査支援装置。
【請求項５】
前記シート判定処理部による判定が完了したことに応じて、前記薬剤シートの一部が切り取られた一又は複数の端数シートを前記同一の一又は複数の秤量部に載せるように促す報知処理部を更に備える、
請求項３又は４に記載の鑑査支援装置。
【請求項６】
前記端数判定処理部による判定が完了した後に、前記シート判定処理部による判定が行われる、
請求項２に記載の鑑査支援装置。
【請求項７】
前記端数判定処理部による判定が完了した後に、前記一又は複数の前記秤量部による現在の秤量値を０にする処理が実行されてから前記シート判定処理部による判定が行われる、
請求項６に記載の鑑査支援装置。
【請求項８】
前記端数判定処理部による判定が完了したことに応じて、一又は複数の前記薬剤シートを前記同一の秤量部に載せるように促す報知処理部を更に備える、
請求項６又は７に記載の鑑査支援装置。
【請求項９】
前記第１の秤量結果及び前記第２の秤量結果は、異なる前記秤量部により取得される秤量結果である、
請求項１に記載の鑑査支援装置。
【請求項１０】
前記秤量対象薬品に対応する前記薬剤シートの基準重量及び前記規定錠数を取得する取得処理部を更に備え、
前記シート判定処理部は、前記第１の秤量結果と、前記取得処理部により取得された前記基準重量及び前記規定錠数とに基づいて、前記秤量対象薬品の錠数を判定する、
請求項１〜９のいずれかに記載の鑑査支援装置。
【請求項１１】
前記第１の秤量結果が示す前記秤量対象薬品の重量である第１の重量と、前記シート判定処理部により判定された前記秤量対象薬品の錠数に対応する前記秤量対象薬品の重量である第２の重量とが予め設定されたエラー報知条件を満たす場合にエラーを報知する報知処理部を更に備える、
請求項１〜１０のいずれかに記載の鑑査支援装置。
【請求項１２】
前記シート判定処理部により判定された前記秤量対象薬品の錠数を表示する表示処理部を更に備える、
請求項１１に記載の鑑査支援装置。
【請求項１３】
前記報知処理部は、前記第１の重量が前記第２の重量よりも重く、且つ前記第１の重量と前記第２の重量との誤差が、前記秤量対象薬品の１錠分以上の重量に相当する予め定められた許容誤差よりも大きい場合にはエラーを報知し、前記第１の重量が前記第２の重量よりも重く、且つ前記第１の重量と前記第２の重量との誤差が前記許容誤差以下である場合にはエラーを報知しない、
請求項１１又は請求項１２に記載の鑑査支援装置。
【請求項１４】
前記報知処理部は、前記第１の重量が前記第２の重量よりも軽く、且つ前記第１の重量と前記第２の重量との誤差が、前記秤量対象薬品の１錠分以上の重量に相当する予め定められた許容誤差よりも大きい場合にはエラーを報知し、前記第１の重量が前記第２の重量よりも軽く、且つ前記第１の重量と前記第２の重量との誤差が前記許容誤差以下である場合にはエラーを報知しない、
請求項１１又は請求項１２に記載の鑑査支援装置。
【請求項１５】
コンピュータに、
一又は複数の前記秤量部による第１の秤量結果に基づいて、秤量対象薬品の錠数を、規定錠数の前記秤量対象薬品が収容される薬剤シートの単位で判定することと、
一又は複数の前記秤量部による第２の秤量結果に基づいて、秤量対象薬品の錠数を１錠単位で判定することと、
前記薬剤シートの単位で判定された錠数及び前記１錠単位で判定された錠数と、処方データに基づく前記秤量対象薬品の目標錠数とを照合することと、
を実行させるための鑑査支援プログラム。
【請求項１６】
一又は複数の秤量部と、
一又は複数の前記秤量部による秤量結果に基づいて、秤量対象薬品の錠数を、規定錠数の前記秤量対象薬品が収容される薬剤シートの単位で判定するシート判定処理部と、
前記秤量結果が示す前記秤量対象薬品の重量である第１の重量と、前記シート判定処理部により判定された前記秤量対象薬品の錠数に対応する前記秤量対象薬品の重量である第２の重量とが予め設定されたエラー報知条件を満たす場合にエラーを報知する報知処理部と、
を備え、
前記報知処理部は、前記第１の重量が前記第２の重量よりも重く、且つ前記第１の重量と前記第２の重量との誤差が、前記秤量対象薬品の１錠分以上の重量に相当する予め定められた許容誤差よりも大きい場合にはエラーを報知し、前記第１の重量が前記第２の重量よりも重く、且つ前記第１の重量と前記第２の重量との誤差が前記許容誤差以下である場合にはエラーを報知しない、
鑑査支援装置。
【請求項１７】
一又は複数の秤量部と、
一又は複数の前記秤量部による秤量結果に基づいて、秤量対象薬品の錠数を、規定錠数の前記秤量対象薬品が収容される薬剤シートの単位で判定するシート判定処理部と、
前記秤量結果が示す前記秤量対象薬品の重量である第１の重量と、前記シート判定処理部により判定された前記秤量対象薬品の錠数に対応する前記秤量対象薬品の重量である第２の重量とが予め設定されたエラー報知条件を満たす場合にエラーを報知する報知処理部と、
を備え、
前記報知処理部は、前記第１の重量が前記第２の重量よりも軽く、且つ前記第１の重量と前記第２の重量との誤差が、前記秤量対象薬品の１錠分以上の重量に相当する予め定められた許容誤差よりも大きい場合にはエラーを報知し、前記第１の重量が前記第２の重量よりも軽く、且つ前記第１の重量と前記第２の重量との誤差が前記許容誤差以下である場合にはエラーを報知しない、
鑑査支援装置。
【請求項１８】
前記薬剤シートには、第１方向及び前記第１方向に直交する第２方向に沿って、前記規定錠数の前記秤量対象薬品が格子状に配置されており、
前記許容誤差は、前記薬剤シートにおいて前記第１方向に沿って並ぶ前記秤量対象薬品の錠数に応じて異なる値に設定される、
請求項１７に記載の鑑査支援装置。
【請求項１９】
前記薬剤シートにおいて前記第１方向に沿って並ぶ前記秤量対象薬品の錠数をＮ錠（Ｎは２以上の整数）としたとき、前記許容誤差は、前記秤量対象薬品の（Ｎ−１）錠分の重量よりも大きく、且つ前記秤量対象薬品のＮ錠分の重量よりも小さい値に設定される、
請求項１８に記載の鑑査支援装置。
【請求項２０】
前記第１方向が、前記薬剤シートにおいて耳が設けられている辺に沿った方向、前記薬剤シートの短辺に沿った方向、及び前記薬剤シートに設けられているミシン目に沿った方向のいずれかの方向である、
請求項１８又は請求項１９に記載の鑑査支援装置。